(57)【要約】      （修正有）【課題】ラチェット機構を具え、使用上便利であり、かつ製造工程において組立の容易なＬ字形レンチを提供する。【解決手段】操作ハンドル１０と、該操作ハンドルの一端に支軸１１を介して擺動自在に連結し、底面には内壁に段差を有する凹溝１３を形成した収納筒体１２と、ドーナッツ状の底面３１１を有し、内周面が該収納筒体の外周面と摺接するモード切替リング３０と、該収納筒体の凹溝と該モード切替リングの底面との空間に摺動自在に設けるラチェット歯を形成したラチェットブロック４２と、一端が外周面にラチェット歯が形成され、かつ該モード切替リングを貫通して該収納筒体に挿設される差込ドライブ２０とによってＬ字形レンチを構成する。【選択図】図２
0003185843.tif 000002
【実用新案登録請求の範囲】
【請求項１】
操作ハンドルと、該操作ハンドルの一端に支軸を介して擺動自在に連結する収納筒体と、該収納筒体に挿設し、内周面が該収納筒体の外周面と摺接するモード切替リングと、一端が該モード切替リングを貫通して該収納筒体に挿設される差込ドライブとを具えるＬ字形レンチであって、
該収納筒体は、底面に該収納筒体の水平面の中心点に対して偏心した円形の凹溝と、直径が該円形の凹溝より狭く、かつ該収納筒体と同心円の凹溝との連続した空間の段差溝とするとともに、底面と外周面の一部を切り欠いて円弧状溝を形成し、さらに外周面には、該円弧状溝の上方に凹穴を形成し、該凹穴内には弾性体と、位置決め球とを設け、別途外周面から該段差溝を構成する該収納筒体と同心円の凹溝に至る貫通孔を穿設し、該貫通孔にはピンを挿設して、該収納筒体に挿入した該差込ドライブの一端に該ピンの一端を当止し、
該モード切替リングは、内部空間を具え、一端を開口面とし、他端には内壁が円の中心に向かってせり出してドーナツ状をなす底面を形成し、該底面には円周を３等分する位置であって、かつ該収納筒体の該段差溝を構成する偏心した円形の凹溝に対応する位置にはそれぞれ２本の第１止接柱を形成し、また円周を３等分する位置であって、かつ該収納筒体の該円弧状溝に対応する位置には第２止接柱とを形成するとともに、内壁には、該収納筒体の外周面の該凹穴に対応する３つの位置決め溝を、間隔を置いて隣り合うように形成し、さらに底面と、該収納筒体の段差溝とによって形成される空間には、弾性体で連結した２つのラチェットブロックを摺動自在に設け、
該差込ドライブは一端を伝動端とし、かつ他端をドライブとし、該伝動端を該収納筒体の該段差溝を構成する同心円の凹溝に挿設して該段差溝を構成する偏心した円形の凹溝を両方向に幅が漸縮して三日月状をなす空間にするとともに、該伝動端の外周面には該ラチェットブロックに接触し、該ラチェットブロックによって歯止めされるラチェット歯と、該ピンの一端が当接する環状溝とを有することを特徴とするＬ字形レンチ。
【請求項２】
前記２つのラチェットブロックには、該差込ドライブの伝動端に形成したラチェット歯に歯合するラチェット歯をそれぞれ有することを特徴とする請求項１に記載のＬ字形レンチ。
【請求項３】
前記２つのラチェットブロックの幅が、三日月状になった該段差溝を構成する偏心した円形の凹溝の幅が最も広い位置において該ラチェットブロックが該差込ドライブの該伝動端に形成したラチェット歯から離れ、歯合を解除することのできる幅であり、かつ該モード切替リングに形成する第１止接柱に当接し、該ラチェットブロックを外方向に移動させて、該差し込みドライブの伝動端に形成した該ラチェット歯から離れるようにするための傾斜面をそれぞれ有することを特徴とする請求項２に記載のＬ字形レンチ。
【考案の詳細な説明】
【技術分野】
【０００１】
この考案はレンチに関し、特にラチェット機構を具えたＬ字形レンチに関する。
【背景技術】
【０００２】
従来のＬ字形レンチにおいて、  台湾実用新案登録第Ｍ４０４０９０号はラチェット機構を具えたＬ字形レンチを提供するものであって、操作ハンドルと、該操作ハンドルの一端に設けられたソケットとを具えてなり、かつ該ソケットにはラチェット機構が設けられる。該ラチェット機構は駆動手段と、制御手段と、及びモード切替リングを回転させることによって動力を発生させる動力発生手段と具えてなり、さらに、該モード切替リングの回転によって作動する駆動部材を有する。
【０００３】
上述する従来のＬ字形レンチは、該モード切替リングを回転させて、該制御手段を移動させて位置を変化させ、該駆動部材の動作を制御し、レンチを回転させる方向を変更するか、もしくは空転させて、ラチェット機構の目的を達成する。
【０００４】
然るに、上述する従来のＬ字形レンチのラチェット機構には、さらにトリガー部材２１１、モード切替リング２１２、連動軸２１３などを含む。よって組立が極めて難しい。このため、製造工程が煩雑になり、製造コストが高くなるという欠点を有する。
【先行技術文献】
【特許文献】
【０００５】
【特許文献１】台湾実用新案登録第Ｍ４０４０９０号公報
【考案の概要】
【考案が解決しようとする課題】
【０００６】
この考案は、ラチェット機構を具え、使用上便利なＬ字形レンチであって、かつ製造工程において、組立の容易なＬ字形レンチを提供することを目的とする。
【課題を解決するための手段】
【０００７】
そこで、本考案者は従来の技術に見られる欠点に鑑み鋭意研究を重ねた結果、操作ハンドルと、該操作ハンドルの一端に支軸を介して擺動自在に連結する収納筒体と、該収納筒体に挿設し、内周面が該収納筒体の外周面と摺接するモード切替リングと、一端が該モード切替リングを貫通して該収納筒体に挿設される差込ドライブとを具えてなり、該モード切替リングを回転させて、該操作ハンドルの空転する方向を切り替えることのできるＬ字形レンチによって課題を解決できる点に着眼し、係る知見に基づいて本考案を完成させた。
【０００８】
以下この考案について具体的に説明する。請求項１に記載するＬ字形レンチは、操作ハンドルと、該操作ハンドルの一端に支軸を介して擺動自在に連結する収納筒体と、該収納筒体に挿設し、内周面が該収納筒体の外周面と摺接するモード切替リングと、一端が該モード切替リングを貫通して該収納筒体に挿設される差込ドライブとを具えるＬ字形レンチであって、
該収納筒体は、底面に該収納筒体の水平面の中心点に対して偏心した円形の凹溝と及び直径が該円形の凹溝より狭く、かつ該収納筒体と同心円の凹溝との連続した空間を形成して段差溝とするとともに、底面と外周面の一部を切り欠いて円弧状溝を形成し、さらに外周面には、該円弧状溝の上方に凹穴を形成し、該凹穴内には弾性体と、位置決め球とを設け、別途外周面から該段差溝を構成する該収納筒体と同心円の凹溝に至る貫通孔を穿設し、該貫通孔にはピンを挿設して、該収納筒体に挿入した該差込ドライブの一端に該ピンの一端を当止させ、
該モード切替リングは、内部空間を具え、一端を開口面とし、他端には内壁が円の中心に向かってせり出してドーナッツ状をなす底面を形成し、該底面には円周を３等分する位置であって、かつ該収納筒体の該段差溝を構成する偏心した円形の凹溝に対応する位置にはそれぞれ２本の第１止接柱を形成し、また円周を３等分する位置であって、かつ該収納筒体の該円弧状溝に対応する位置には第２止接柱とを形成するとともに、内壁には、該収納筒体の外周面の該凹穴に対応する３つの位置決め溝を、間隔を置いて隣り合うように形成し、さらに底面と、該収納筒体の段差溝とによって形成される空間には、弾性体で連結した２つのラチェットブロックを摺動自在に設け、
該差込ドライブは一端を伝動端とし、かつ他端をドライブとし、該伝動端を該収納筒体の該段差溝を構成する同心円の凹溝に挿設して該段差溝を構成する偏心した円形の凹溝を両方向に幅が漸縮して三日月状をなす空間にするとともに、該伝動端の外周面には該ラチェットブロックに接触し、該ラチェットブロックによって歯止めされるラチェット歯と、該ピンの一端が当接する環状溝とを形成する。
【０００９】
請求項２に記載するＬ字形レンチは、請求項１における２つのラチェットブロックに、該差込ドライブの伝動端に形成したラチェット歯に歯合するラチェット歯をそれぞれ形成する。
【００１０】
請求項３に記載するＬ字形レンチは、請求項１における２つのラチェットブロックの幅が、三日月状になった該段差溝を構成する偏心した円形の凹溝の幅が最も広い位置において該ラチェットブロックが該差込ドライブの該伝動端に形成したラチェット歯から離れ、歯合を解除することのできる幅であり、かつ該モード切替リングに形成する第１止接柱に当接し、該ラチェットブロックを外方向に移動させて、該差し込みドライブの伝動端に形成した該ラチェット歯から離れるようにするための傾斜面をそれぞれ形成することを特徴とする請求項２に記載のＬ字形レンチ。
【考案の効果】
【００１１】
この考案によるＬ字形レンチは、ラチェット機構を具え、使用上便利であるのみならず、ラチェット機構を構成する部材の点数が少なく、かつ組立も容易であることから、生産コストを大幅に節減することができ、商品の市場における競争能力が優れるという利点を有する。
【図面の簡単な説明】
【００１２】
【図１】この考案によるＬ字形レンチの斜視図である。
【図２】図１に開示するＬ字形レンチの構造を示した分解図である。
【図３】図１に開示するＬ字形レンチの構造を示した断面図である。
【図４】図３に開示する４−４線に沿った断面図である。
【図５】図３に開示する５−５線に沿った断面図である。
【図６】この考案におけるラチェット機構の動作を示した説明図である。
【図７】この考案におけるラチェット機構の動作を示した他の説明図である。
【図８】この考案におけるラチェット機構の他の動作を示した説明図である。
【図９】この考案におけるラチェット機構の他の動作を示した他の説明図である。
【考案を実施するための形態】
【００１３】
この考案は、ラチェット機構を具え、使用上便利なＬ字形レンチであって、かつ製造工程において、組立の容易なＬ字形レンチを提供するものであって、操作ハンドルと、該操作ハンドルの一端に支軸を介して擺動自在に連結する収納筒体と、該収納筒体に挿設し、内周面が該収納筒体の外周面と摺接するモード切替リングと、一端が該モード切替リングを貫通して該収納筒体に挿設される差込ドライブとを具えてなり、モード切替リングを回転させて、該操作ハンドルの空転する方向を切り替えることのできる。係るＬ字形レンチの構造と特徴を説明するために、具体的な実施の形態を挙げ、図面を参照にして以下に詳述する。
【実施例】
【００１４】
この考案によるＬ字形レンチは、図１に開示するように、操作ハンドル１０と、モード切替リング３０と、差込ドライブ２０と、によってなる。詳しくは、図２に開示するように、操作ハンドル１０と、操作ハンドル１０の一端に支軸１１を介して擺動自在に連結する収納筒体１２と、収納筒体１２に挿設し、内周面が収納筒体１２の外周面と摺接するモード切替リング３０と、一端がモード切替リング３０を貫通して収納筒体１２に挿設される差込ドライブ２０とを具えてなる。
【００１５】
収納筒体１２は、一端が支軸１１を介して操作ハンドル１０の一端に擺動自在に連結し、他端には、収納筒体１２の水平面の中心点に対して偏心した円形の凹溝と、直径が該円形の凹溝より狭く、かつ収納筒体１２と同心円の凹溝とが連続した空間を形成して段差溝１３とする。また、収納筒体１２の底面には、段差溝１３とは別に底面と外周面の一部を切り欠き円弧状溝１４を形成する。
【００１６】
差込ドライブ２０は、下方に位置する一端にドライブ２１を有し、他端は伝動端として収納筒体１２の該段差溝１３を構成するに同心円の凹溝に挿設する。この場合、段差溝１３を構成する偏心した円形の凹溝は、両方向に幅が漸縮して三日月状をなす空間になる。また、該伝動端の外周面にはラチェット歯２２を形成し、さらに、環状溝２３を形成する。
【００１７】
モード切替リング３０は、内部空間３１を具え、一端を開口面とし、他端には内壁が円の中心に向かってせり出してドーナッツ状をなす底面３１１を形成する。また、底面３１１には円周を３等分する位置に、それぞれ第１止接柱３２、３３及び第２止接柱３４とを形成する。第１止接柱３２、３３は、前記三日月状の空間内に位置し、第２止接柱３４は収納筒体１２の円弧状溝１４内に位置する。
【００１８】
また、差込ドライブ２０の該伝動端を挿入することによって段差溝１３内に形成される該三日月状の空間には、弾性体４１によって連結される２つのラチェットブロック４２、４３を摺動自在に設け、２つのラチェットブロック４２、４３には、差込ドライブ２０のラチェット歯２２の傾斜方向に対応して歯合するラチェット歯４２１、４３１をそれぞれ形成するとともに、第１止接柱３２、３３に当接し、かつラチェットブロック４２、４３を外方向に移動させて、差込ドライブ２０の該伝動端に形成したラチェット歯２２から離して、歯合を解除させるための傾斜面４２２、４３２をそれぞれ形成する。ラチェットブロック４２、４３の幅は、該三日月状の空間の幅が最も広い位置において、ラチェットブロック４２、４３のラチェット歯４２１、４３１が該差込ドライブに形成したラチェット歯２２から離れ、歯合を解除することのできる幅にする。
【００１９】
また、モード切替リング３０の内壁には、間隔をおいて隣り合う３つの位置決め溝３５、３６、３７をそれぞれ形成する。また。収納筒体１２には、位置決め溝３５、３６、３７に対応する位置に、凹穴１５を形成し、凹穴１５内には弾性体１６と、位置決め球１７とを設ける。さらに、収納筒体１２には、外周から内壁を貫通する貫通孔１８を穿設する。貫通孔１８にはピン５１を挿設する。ピン５１は前端が差込ドライブ２０の他端に形成された環状溝２３に当止する。よって、差込ドライブ２０は回転することができるが、収納筒体１２から外れることがない。
【００２０】
モード切替リング３０を回転させることによって、操作ハンドル１０を時計回りに回るようにするか、時計回りの逆方向に回るようにするか、もしくは空転するように変更することができる。よって、レンチを反復して回転させて作業を行うことができ、便利である。
【００２１】
この考案によるＬ字形レンチは、上述するように２つのラチェットブロック４２、４３を具え、ラチェットブロック４２、４３は、ラチェット歯２２に歯合するラチェット歯４２１、４３１を形成する。
【００２２】
また、前記第１止接柱３２、３３は、２つのラチェットブロック４２、４３の移動する線上に位置し、ラチェットブロック４２、４３が移動すると、第１止接柱３２、３３に当接し、傾斜面４２２、４３２によって第１止接柱３２、３３をスライドして外方向に押される。よって、ラチェットブロック４２、４３のラチェット歯４２１、４３１は、差込ドライブ２０のラチェット歯２２から離れ、空転する。
【００２３】
段差溝１３の偏心した円形の凹溝の部分は、ラチェットブロック４２、４３の移動する方向に空間が漸縮する。このため、ラチェットブロック４２、４３のラチェット歯４２１、４３１が差込ドライブ２０のラチェット歯２２に確実に歯合し、操作ハンドル１０が回転する動力を伝えることができる。
【００２４】
ラチェットブロック４２、４３が、段差溝１３の収納筒体１２に対して偏心した円形の凹溝の三日月状の空間において、幅の最も広い部分に移動すると、ラチェットブロック４２、４３のラチェット歯４２１、４３１と差込ドライブ２０のラチェット歯２２との歯合が解除され、操作ハンドル１０が両方向に空転する状態となる。
【００２５】
図４に開示するように、位置決め溝３６の位置が位置決め球１７の当止する位置に至るようにモード切替リング３０を回転させると、収納筒体１２の凹穴１５に設けた弾性体１６の付勢力によって位置決め球１７が押され、位置決め溝３６に位置決めされる。この場合、図５に開示するように、ラチェットブロック４２、４３は、段差溝１３の収納筒体１２に対して偏心した円形の凹溝の三日月状の空間において、幅の最も広い部分に位置し、第１止接柱３２、３３から離れた状態になる。また。第２止接柱３４は円弧状溝１４の中央に位置し、ラチェットブロック４２、４３のラチェット歯４２１、４３１と差込ドライブ２０のラチェット歯２２との歯合が解除され、操作ハンドル１０が両方向に空転する状態となる。
【００２６】
図６に開示するように、位置決め溝３５の位置が位置決め球１７の当止する位置に至るようにモード切替リング３０を回転させると、収納筒体１２の凹穴１５に設けた弾性体１６の付勢力によって位置決め球１７が押され、位置決め溝３５に位置決めされ、図７に開示するように第２止接柱３４は円弧状溝１４の一端に位置する。この場合、段差溝１３の収納筒体１２に対して偏心した円形の凹溝の三日月状の空間において、該部分の空間が漸縮しているためラチェットブロック４２が収納筒体１２の内壁に圧迫されてラチェット歯４２１が差込ドライブ２０のラチェット歯２２に確実に歯合する。よって、操作ハンドル１０を時計回りに回転させると、力を伝えることができる。
【００２７】
また、ラチェットブロック４３が移動して第１止接柱３３に当止すると、傾斜面４３２によってラチェットブロック４３は外方向に移動する。このためラチェットブロック４３のラチェット歯４３１は４３１が差込ドライブ２０のラチェット歯２２から離れる。
【００２８】
図８に開示するように、位置決め溝３７の位置が位置決め球１７の当止する位置に至るようにモード切替リング３０を回転させると、収納筒体１２の凹穴１５に設けた弾性体１６の付勢力によって位置決め球１７が押され、位置決め溝３７に位置決めされ、図９に開示するように第２止接柱３４は円弧状溝１４の他端に位置する。この場合、段差溝１３の収納筒体１２に対して偏心した円形の凹溝の三日月状の空間において、該部分の空間が漸縮しているためラチェットブロック４３が収納筒体１２の内壁に圧迫されてラチェット歯４３１が差込ドライブ２０のラチェット歯２２に確実に歯合する。よって、操作ハンドル１０を時計回りの逆方向に回転させると、力を伝えることができる。
【００２９】
また、ラチェットブロック４２が移動して第１止接柱３２に当止すると、傾斜面４２２によってラチェットブロック４２は外方向に移動する。このためラチェットブロック４２のラチェット歯４２１は差込ドライブ２０のラチェット歯２２から離れる。
【００３０】
上述するように、この考案のＬ字形レンチは、モード切替リング３０を回転させることによって、操作ハンドル１０が回転して作用する方向、もしくは空転する方向を調整することができる。但し、従来の技術に見られるようにラチェット機構を構成する部材が多数になることはなく、製品の組立が容易である。
【００３１】
以上はこの考案の好ましい実施の形態であって、この考案の実施の範囲を限定するものではない。よって、当業者のなし得る主末井、もしくは変更であって、この考案の精神の下においてなされ。この考案に対して均等の効果を有するものは、いずれもこの考案の実用新案登録請求の範囲に含まれるものとする。
【符号の説明】
【００３２】
１０       操作ハンドル
１１       支軸
１２       収納筒体
１３       段差溝
１４       円弧状溝
１５       凹穴
１６       弾性体
１７       位置決め球
１８       貫通孔
２０       差込ドライブ
２１       ドライブ
２２       ラチェット歯
２３       環状溝
３０       モード切替リング
３１       内部空間
３１１     底面
３２       第１止接柱
３３       第１止接柱
３４       第２止接柱
３５       位置決め溝
３６       位置決め溝
３７       位置決め溝
４１       弾性体
４２       ラチェットブロック
４２１     ラチェット歯
４２２     傾斜面
４３       ラチェットブロック
４３１     ラチェット歯
４３２     傾斜面
５１       ピン
【図１】
0003185843.tif 000003
【図２】
0003185843.tif 000004
【図３】
0003185843.tif 000005
【図４】
0003185843.tif 000006
【図５】
0003185843.tif 000007
【図６】
0003185843.tif 000008
【図７】
0003185843.tif 000009
【図８】
0003185843.tif 000010
【図９】
0003185843.tif 000011